(57)【要約】      （修正有）【課題】測定が保留される測定項目が依頼されている試料に後続して測定される試料のうち、測定が保留される測定項目が依頼されていない試料の測定効率を上げることが可能な自動分析装置を提供する。【解決手段】試料ＩＤ読取機能９４、判定機能９５及び分析制御機能９６を具備する。試料ＩＤ読取機能９４は、リーダを用いて個々の試料を識別する。判定機能９５は、各試料ごとに当該試料の測定項目の中に測定を保留する測定項目が所定の項目数以上含まれているか否かを判定する。分析制御機能９６は、測定を保留する測定項目が所定の項目数以上含まれている試料の分注を行う代わりに、前記測定を保留する測定項目が所定項目数未満の他の試料の分注を行う。【選択図】図１
2017207301.tif 000002
【特許請求の範囲】
【請求項１】
個々の試料を識別する識別部と、
前記各試料ごとに当該試料の測定項目の中に測定を保留する測定項目が所定の項目数以上含まれているか否かを判定する判定部と、
前記測定を保留する測定項目が所定の項目数以上含まれている試料の分注を行う代わりに、前記測定を保留する測定項目が所定項目数未満の他の試料の分注を行う分析制御部と、
を具備する自動分析装置。
【請求項２】
前記所定の項目数は１である請求項１に記載の自動分析装置。
【請求項３】
前記測定を保留する測定項目数が所定の項目数以上含まれている試料を報知する報知部をさらに具備する請求項１または２に記載の自動分析装置。
【請求項４】
前記測定を保留する測定項目は、
当該測定項目の当該試料での測定において分注する試薬の量を満たすことができない項目である請求項１乃至３のうちいずれかに記載の自動分析装置。
【請求項５】
試薬を分注する分注部と、
前記試薬の分注時に当該試薬の残量を検知する残量検知部と、
前記残量検知部により検知された残量に基づいて前記測定を保留する測定項目を特定する測定保留項目特定部と
をさらに具備する請求項１乃至３のうちいずれかに記載の自動分析装置。
【請求項６】
前記測定を保留する測定項目が、当該測定項目の当該試料での測定において分注する試薬の必要な量を満たすことができない項目である場合に、前記報知部が当該試薬を報知する請求項３に記載の自動分析装置。
【請求項７】
前記測定を保留する測定項目は、
当該測定項目の当該試料での測定に伴って行なわれる洗浄に使う洗浄液の量を満たすことができない項目である請求項１乃至３のうちいずれかに記載の自動分析装置。
【請求項８】
前記測定を保留する測定項目が、当該測定項目の当該試料での測定に伴って行なわれる洗浄に使う洗浄液の量を満たすことができない項目である場合に、前記報知部が当該洗浄液を報知する請求項３に記載の自動分析装置。
【請求項９】
前記分析制御部は、
前記測定を保留する測定項目が所定の項目数以上含まれている試料の測定項目の中に所定の測定項目が含まれている場合には、少なくとも当該所定の測定項目の測定に必要な当該試料の分注を行う請求項１乃至８のうちいずれかに記載の自動分析装置。
【発明の詳細な説明】
【技術分野】
【０００１】
本発明の実施形態は、自動分析装置に関する。
【背景技術】
【０００２】
医療診断用の自動分析装置は、血液、血清、尿等の試料に含まれる成分を測定するための装置であり、臨床検査において広く用いられている。
【０００３】
自動分析装置は、１つの試料に対して複数の測定項目を測定する。自動分析装置では、患者や健診者等の検診者別に試料が収容されている試料容器毎に試料を吸引し、当該試料の各測定項目の測定用に割り当てられた個々の反応管に所定量吐出する。また、各反応管には、当該反応管に割り当てられた測定項目に対応する試薬を分注する。そして、各反応管の中の試料と試薬との混合液を用いて測定項目の測定を行なう。１つの試料に対してすべての測定項目の測定が終わると、各反応管から混合液が廃液され、その後、各反応管は、廃液された混合液（試料、試薬）に対応する洗浄液で洗浄され、後続の試料の測定項目の測定に使われる。
【０００４】
このような自動分析装置では、試料を分注する際に、当該試料での測定が依頼されている測定項目の中に、試薬や洗浄液等の消費材が足らなくなることを予測（判別）できている測定項目が含まれている場合、当該測定項目の測定に割り当てられている分の試料の分注は行わず、当該試料の当該測定項目の測定を保留し、それ以外の測定項目の測定を先行させる。
【０００５】
しかしながら、自動分析装置の測定結果は、通常、試料単位で報告される。すなわち、当該試料の全ての測定項目の測定が終わるまで、当該試料の測定結果は、報告されない。したがって、測定項目の一部の測定が保留された試料の測定項目の測定結果のうち、保留される測定項目に先行して測定された測定項目の測定結果は、測定が保留された測定項目の結果が出るまで、そのまま報告が保留されてしまう。
【０００６】
また、仮に、先行して測定した測定項目の測定結果を先んじて報告したとしても、測定が保留されている測定項目の測定結果の報告が無いと、正確な診断を医師が下せない恐れがある。したがって、測定項目の一部の測定が保留された試料の測定可能な他の測定項目の測定を先行させなければならない必然性は殆どない。
【０００７】
また、一部の測定項目の測定が保留された試料の測定に続いて測定が行なわれる後続の試料は、例え測定が保留される測定項目の測定が依頼されていないとしても、先行している試料の測定が保留されない他の測定項目分の分注が終わるまで、自身の分注を待たなければならない。
【先行技術文献】
【特許文献】
【０００８】
【特許文献１】特開2003-315348号公報
【発明の概要】
【発明が解決しようとする課題】
【０００９】
実施形態の目的は、測定が保留される測定項目が依頼されている試料に後続して測定される試料のうち、測定が保留される測定項目が依頼されていない試料の測定効率を上げることが可能な自動分析装置を提供することにある。
【課題を解決するための手段】
【００１０】
実施形態によれば、自動分析装置は、識別部、判定部及び分析制御部を具備する。識別部は、個々の試料を識別する。判定部は、前記各試料ごとに当該試料の測定項目の中に測定を保留する測定項目が所定の項目数以上含まれているか否かを判定する。分析制御部は、前記測定を保留する測定項目が所定の項目数以上含まれている試料の分注を行う代わりに、前記測定を保留する測定項目が所定項目数未満の他の試料の分注を行う。
【図面の簡単な説明】
【００１１】
【図１】図１は、実施形態に係る自動分析装置の構成の一例を示すブロック図である。
【図２】図２は、図１に示される分析機構の構成を示す図である。
【図３】図３は、図１に示される分析機構の構成を示す図である。
【図４】図４は、実施形態に係る自動分析装置における依頼管理テーブルの一例を示す図である。
【図５】図５は、実施形態に係る自動分析装置における項目状態管理テーブルの一例を示す図である。
【図６】図６は、実施形態に係る自動分析装置における除外項目管理テーブルの一例を示す図である。
【図７】図７は、実施形態に係る自動分析装置における除外項目選択画面の一例を示す図である。
【図８】図８は、実施形態に係る自動分析装置が備えるシステム制御回路が測定依頼された試料の分注を制御する場合のフローチャートの一例を示す図である。
【発明を実施するための形態】
【００１２】
［第１の実施形態］
以下、図面を参照しながら本実施形態に係わる自動分析装置を説明する。
【００１３】
図１は、実施形態に係る自動分析装置の構成の一例を示すブロック図である。図１に示されるように、自動分析装置１は、分析機構２、解析回路３、駆動機構４、出力インタフェース回路６、入力インタフェース回路７、記憶回路８、及び、システム制御回路９を備える。
【００１４】
分析機構２は、標準試料又は被検試料等の試料と、この試料に設定された各測定項目で用いられる試薬とを混合する。分析機構２は、試料と試薬との混合液を測定し、例えば吸光度で表される標準データ及び被検データを生成する。
【００１５】
解析回路３は、分析機構２により生成された標準データ及び被検データを解析するプロセッサである。解析回路３は、記憶回路８から動作プログラムを読み出し、読み出した動作プログラムを実行することで、標準データ及び被検データを解析する。例えば、解析回路３は、生成された標準データと、標準試料に予め設定された標準値との関係を示す検量データを生成する。また、解析回路３は、生成された被検データと、この被検データに対応する測定項目の検量データとに基づいて、濃度値及び酵素の活性値として表される分析データを生成する。解析回路３は生成した検量データ及び分析データ等をシステム制御回路９へ出力する。
【００１６】
駆動機構４は、ギア、ステッピングモータ、ベルトコンベア、及びリードスクリュー等により実現される。駆動機構４は、システム制御回路９の制御に従い、分析機構２を駆動させる。
【００１７】
出力インタフェース回路６は、例えばＣＲＴディスプレイ、液晶ディスプレイ、有機ＥＬディスプレイ、及びプラズマディスプレイ等の表示デバイスを有する。出力インタフェース回路６は、システム制御回路９の制御の下、例えば該表示デバイスを通じて、除外項目選択画面、測定を保留する測定項目を含む試料の識別情報、当該測定を保留する測定項目に対応する不足試薬又は不足洗浄液、及び、解析回路３が算出した測定項目値等を表示する。また、出力インタフェース回路６は、例えばスピーカーを有する。出力インタフェース回路６は、システム制御回路９の制御の下、測定対象となる試料単位で測定を保留する測定項目を含む試料が存在する旨を操作者に報知する。
【００１８】
入力インタフェース回路７は、オペレータからの入力機器を介した各種指令又は／及び情報入力を受け付ける。入力機器としては、マウスやトラックボールなどのポインティングデバイス、スイッチボタン等の選択デバイス、あるいはキーボードやタッチスクリーン等の入力デバイスが適宜利用可能である。入力インタフェース回路７は、受け付けた各種指令や情報入力をシステム制御回路９へ通知する。入力インタフェース回路７は、例えば、操作者から各測定項目をＡライン系統又はＢライン系統に区分するための区分情報等を受け付ける。なお、本明細書において入力インタフェース回路７はマウス及びキーボード等の物理的な操作部品を備えるものだけに限られない。例えば、自動分析装置１とは別体に設けられた外部の入力機器から入力される操作指示に対応する電気信号を受け取り、この電気信号をシステム制御回路９へ出力する電気信号の処理回路も入力インタフェース回路７の例に含まれる。
【００１９】
記憶回路８は、磁気的若しくは光学的記録媒体又は半導体メモリ等の、プロセッサにより読み取り可能な記録媒体等を含む。記憶回路８は、解析回路３で実行される動作プログラム、及びシステム制御回路９で実行される動作プログラムを記憶する。記憶回路８は、解析回路３から出力される標準データ及び被検データ等を測定項目毎に記憶する。記憶回路８は、解析回路３により生成される分析データを被検試料毎に記憶する。記憶回路８は、測定が依頼された試料の分析状況を管理するための各種テーブルを記憶する。
【００２０】
システム制御回路９は、自動分析装置１の中枢として機能するプロセッサである。システム制御回路９は、記憶回路８に記憶されている動作プログラムを実行することで、この動作プログラムに対応する機能を実現する。
【００２１】
図２及び図３は、図１に示される分析機構２の構成の一例を示す模式図である。図２及び図３に示される分析機構２は、反応ディスク２０１、第１試薬庫２０２、及び第２試薬庫２０３を備える。
【００２２】
反応ディスク２０１は、Ａライン系統に区分される複数の反応管２０１１ａと、Ｂライン系統に区分される複数の反応管２０１１ｂとを保持する。反応管２０１１ａ及び反応管２０１１ｂは、反応ディスク２０１の円周上の互いに隣り合う位置に交互に配列される。反応ディスク２０１は、駆動機構４によって既定の時間間隔で回動と停止とが交互に繰り返される。反応管２０１１ａ及び反応管２０１１ｂは、例えば、ガラスにより形成される。
【００２３】
第１試薬庫２０２は、本実施形態における消費材の一例である試薬が収容されている試薬容器１０１を複数保持する試薬庫の一例であり、反応ディスク２０１の内側に配置される。第１試薬庫２０２は、第１試薬容器ラックにより、円周状に複数の試薬容器１０１を交換可能に保持する。図２及び図３に示される第１試薬庫２０２内の外円２０２１は、第１試薬庫２０２内で円周状に配列される試薬容器１０１のうち、外側の円周に配列される試薬容器１０１の開口部の位置を表す。第１試薬庫２０２内の内円２０２２は、第１試薬庫２０２内で円周状に配列される試薬容器１０１のうち、内側の円周に配列される試薬容器１０１の開口部の位置を表す。第１試薬庫２０２に保持されている試薬容器１０１は、Ｂライン系統に区分される反応管２０１１ｂに分注される試薬を収容している。開口部が外円２０２１に沿って配置される試薬容器１０１は、Ｂライン系統に区分される各測定項目に対応する第１試薬を収容している。第１試薬は、本実施形態における消費材の一例であり、測定項目毎に使われるものが決められている。開口部が内円２０２２に沿って配置される試薬容器１０１は、Ｂライン系統に区分される各測定項目に対応する第２試薬を収容している。第２試薬は、第１試薬同様に本実施形態における消費材の一例であり、測定項目毎に使われるものが決められている。第１試薬容器ラックは、駆動機構４によって第１試薬庫２０２の中心を回転中心として回動される。
【００２４】
また、本実施形態に係わる自動分析装置における第１試薬容器ラックは、試薬の代わりに特定の洗浄液を収容している洗浄液容器を交換可能に保持している。第１試薬容器ラックが保持する洗浄液容器は、例えば外円２０２１上に配置される試薬容器１０１と同じ外観形状で、外円２０２１上に保持される。洗浄液は、試薬同様に本実施形態における消費材の他の一例であり、試料の種別や測定項目毎に使われるものが決められており、例えばアルカリ性洗剤、酸性洗剤等の複数の種類がある。
【００２５】
第２試薬庫２０３は、第１試薬庫２０２同様に本実施形態における試薬庫の一例であり、反応ディスク２０１の外側に反応ディスク２０１と隣接して配置される。第２試薬庫２０３は、第２試薬容器ラックにより、円周状に複数の試薬容器１０１を交換可能に保持する。図２及び図３に示される第２試薬庫２０３内の外円２０３１は、第２試薬庫２０３内で円周状に配列される試薬容器１０１のうち、外側の円周に配列される試薬容器１０１の開口部の位置を表す。第２試薬庫２０３内の内円２０３２は、第２試薬庫２０３内で円周状に配列される試薬容器１０１のうち、内側の円周に配列される試薬容器１０１の開口部の位置を表す。第２試薬庫２０３に収容されている試薬容器１０１は、Ａライン系統に区分される反応管２０１１ａに分注される試薬を収容している。開口部が外円２０３１に沿って配置される試薬容器は、Ａライン系統に区分される各測定項目に対応する第１試薬を収容している。開口部が内円２０３２に沿って配置される試薬容器１０１は、Ａライン系統に区分される各測定項目に対応する第２試薬を収容している。第２試薬容器ラックは、駆動機構４によって第２試薬庫２０３の中心を回転中心として回動される。
【００２６】
また、本実施形態に係わる自動分析装置における第２試薬容器ラックは、第１試薬容器ラック同様に、試薬の代わりに特定の洗浄液を収容している洗浄液容器を保持している。第２試薬容器ラックが保持する洗浄液容器は、外円２０３１上に配置される試薬容器１０１と同じ外観形状で、外円２０３１上に保持される。
【００２７】
また、図２及び図３に示される分析機構２は、ラック投入ユニット２３０、ラック移動ユニット２４０、及びラック回収ユニット２５０を備える。
【００２８】
ラック投入ユニット２３０は、複数の試料容器１００を保持するサンプルラック１０２が投入される。サンプルラック１０２の両端の側面には、ラック移動ユニット２４０に設けられる搬送アーム２４１によりピックアップ可能な形状、例えば１対の溝が形成される。
【００２９】
試料容器１００には、標準試料又は被検試料等の試料が収容される。試料容器１００には、試料容器１００に収容される試料の識別情報等が記載される光学式マークが設けられる。ここで、試料の識別情報には、例えば、患者情報、試料情報、及び試料ＩＤ等が含まれる。光学式マークは、試料容器１００に収容される試料の識別情報等を符号化したマーク、例えば、バーコード、１次元画素コード、及び２次元画素コード等である。
【００３０】
サンプルラック１０２は、第１投入レーン２３１、及び第２投入レーン２３２へ投入される。第１及び第２投入レーン２３１，２３２へ投入されるサンプルラック１０２は、駆動機構４により駆動され、ラック移動ユニット２４０へ移動可能な投入位置へ移動される。このとき、第１及び第２投入レーン２３１，２３２におけるサンプルラック１０２の移動は、例えば、ベルトコンベア、及びリードスクリュー等により実現される。
【００３１】
ラック移動ユニット２４０は、搬送アーム２４１、搬送レール２４２、仮置きレーン２４３、サンプリングレーン２４４、再検査バッファレーン２４５、リーダ２４６、及び、リーダ２４７を備える。
【００３２】
搬送アーム２４１は、駆動機構４によって駆動され、サンプルラック１０２を搬送する。例えば、搬送アーム２４１は、第１投入レーン２３１における投入位置に載置されているサンプルラック１０２を、搬送レール２４２に沿って仮置きレーン２４３又はサンプリングレーン２４４へ搬送する。このサンプリングレーン２４４上には、サンプルラック１０２を搬入する位置である、ラック搬入位置２４４１が設定される。また、搬送アーム２４１は、サンプリングレーン２４４における搬出位置に位置するサンプルラック１０２を、搬送レール２４２に沿って再検査バッファレーン２４５又はラック回収ユニット２５０の第１回収レーン２５１へ搬送する。
【００３３】
搬送アーム２４１は、例えば、１対の爪を上下動自在に有する。搬送アーム２４１は、サンプルラック１０２に形成される１対の溝に爪を差し込んだ状態で、フォークリフトがそのフォークで荷物を抱えて運ぶように、サンプルラックを搬送する。
【００３４】
リーダ２４６は、第１投入レーン２３１における投入位置からサンプリングレーン２４４におけるラック搬入位置２４４１へ搬送アーム２４１が試料容器１００を搬送する間の、例えば試料容器１００に付されたバーコードを読取り可能な位置に設けられる。リーダ２４６は、システム制御回路９からのＩＤ読取開始の指示を契機として、読取りを開始する。リーダ２４６は、バーコードを読取り可能な位置に試料容器１００が到達すると、当該バーコードから試料の識別情報を読み取る。リーダ２４６は、読取った識別情報をシステム制御回路９に供給する。なお、リーダ２４６は、ＲＦＩＤ（Radio Frequency IDentification）等を利用した他のセンサで代替してもよい。
【００３５】
サンプリングレーン２４４は、駆動機構４により駆動され、ラック搬入位置２４４１に搬入されたサンプルラック１０２を移動させる。例えば、サンプリングレーン２４４は、サンプルラック１０２に保持される試料容器１００各々の開口を、試料を吸引するための所定の位置へ移動させる。また、サンプリングレーン２４４は、サンプルラック１０２に保持される全ての試料容器１００に収容される試料の分注が正常に終了すると、サンプルラック１０２を、ラック回収ユニット２５０へ移動可能な搬出位置へ移動させる。サンプリングレーン２４４におけるサンプルラック１０２の移動は、例えば、ベルトコンベア、及びリードスクリュー等により実現される。
【００３６】
リーダ２４７は、例えば第１サンプル分注プローブ２０５が試料を吸引する位置である、サンプル吸引位置２４４２に載置された試料容器１００に付されたバーコードを読取り可能な位置に設けられる。リーダ２４７は、システム制御回路９からのＩＤ読取開始の指示を契機として、読取りを開始する。リーダ２４７は、リーダ２４７が試料容器１００を読取り可能な位置に試料容器１００が到達すると、当該試料容器１００に付されたバーコードから試料の識別情報を読み取る。リーダ２４７は、読取った試料の識別情報をシステム制御回路９に供給する。リーダ２４７は、リーダ２４６と合せて、２重にチェックする役割を担う。
【００３７】
ラック回収ユニット２５０は、第１及び第２回収レーン２５１，２５２を有する。第１及び第２回収レーン２５１，２５２は、ラック移動ユニット２４０から搬送アーム２４１により搬入されるサンプルラック１０２を、駆動機構４により駆動され、取り出し位置へ移動させる。
【００３８】
また、図２及び図３に示される分析機構２は、第１サンプル分注アーム２０４、第１サンプル分注プローブ２０５、残量検知ユニット２０６、第２サンプル分注アーム２０７、第２サンプル分注プローブ２０８、第１Ａ試薬分注アーム２０９、第１Ａ試薬分注プローブ２１０、第２Ａ試薬分注アーム２１１、第２Ａ試薬分注プローブ２１２、第１Ｂ試薬分注アーム２１３、第１Ｂ試薬分注プローブ２１４、第２Ｂ試薬分注アーム２１５、第２Ｂ試薬分注プローブ２１６、第１撹拌ユニット２１７、及び第２撹拌ユニット２１８を備える。
【００３９】
第１サンプル分注アーム２０４は、一端に上下動可能に第１サンプル分注プローブ２０５を支持する。第１サンプル分注アーム２０４は、駆動機構４によって回動される。第１サンプル分注アーム２０４が回動されることにより、第１サンプル分注プローブ２０５は、円弧状の回動軌道に沿って回動される。この回動軌道上には、サンプル吸引位置２４４２が設定される。サンプル吸引位置２４４２は、サンプリングレーン２４４上に位置するように予め設定されている。また、第１サンプル分注プローブ２０５が回動される回動軌道上には、Ａライン系統に区分され、吸引した試料が吐出される第１サンプル吐出位置２０１２ａが設定されている。
【００４０】
第１サンプル分注プローブ２０５は、Ａライン系統に区分される測定項目についての検査を実施する際、システム制御回路９の制御に従い、サンプル吸引位置２４４２で、試料容器１００に収容される試料を吸引する。また、第１サンプル分注プローブ２０５は、システム制御回路９の制御に従い、吸引した試料を、第１サンプル吐出位置２０１２ａに位置する反応管２０１１ａへ各測定項目に対応する量吐出する。
【００４１】
第２サンプル分注アーム２０７は、一端に上下動可能に第２サンプル分注プローブ２０８を支持する。第２サンプル分注アーム２０７は、駆動機構４によって回動される。第２サンプル分注アーム２０７が回動されることにより、第２サンプル分注プローブ２０８は、円弧状の回動軌道に沿って回動される。また、第２サンプル分注プローブ２０８が回動される回動軌道上には、Ｂライン系統に区分され、吸引した試料が吐出される第２サンプル吐出位置２０１２ｂが設定されている。
【００４２】
第２サンプル分注プローブ２０８は、Ｂライン系統に区分される測定項目についての検査を実施する際、システム制御回路９の制御に従い、サンプル吸引位置２４４２で、試料容器１００に収容される試料を吸引する。また、第２サンプル分注プローブ２０８は、システム制御回路９の制御に従い、吸引した試料を、第２サンプル吐出位置２０１２ｂに位置する反応管２０１１ｂへ各測定項目に対応する量吐出する。
【００４３】
第１Ａ試薬分注アーム２０９は、一端に上下動可能に第１Ａ試薬分注プローブ２１０を支持する。第１Ａ試薬分注アーム２０９は、駆動機構４によって回動される。第１Ａ試薬分注アーム２０９が回動されることにより、第１Ａ試薬分注プローブ２１０は、円弧状の回動軌道に沿って回動される。この回動軌道上には、第２試薬庫２０３の外円２０３１上に配置される試薬容器１０１からＡライン系統に区分される各測定項目に対応する第１試薬を吸引する試薬吸引位置と、吸引した第１試薬を反応管２０１１ａへ吐出する第１試薬吐出位置２０１３ａとが設定されている。
【００４４】
第１Ａ試薬分注プローブ２１０は、駆動機構４によって駆動され、回動軌道上の試薬吸引位置、及び第１試薬吐出位置２０１３ａにおいて上下方向に移動する。また、第１Ａ試薬分注プローブ２１０は、システム制御回路９の制御に従い、回動軌道上の試薬吸引位置に位置する試薬容器１０１から第１試薬を吸引する。また、第１Ａ試薬分注プローブ２１０は、システム制御回路９の制御に従い、吸引した第１試薬を、第１試薬吐出位置２０１３ａに位置する反応管２０１１ａへ所定量吐出する。
【００４５】
また、第１Ａ試薬分注プローブ２１０は、必要に応じて第２試薬庫２０３の外円２０３１における洗浄液容器に格納されている洗浄液を吸引する。吸引する洗浄液は、洗浄対象（機器、試料、試薬等）に応じて適切なものが選択される。第１Ａ試薬分注プローブ２１０は、洗浄液を吸引後、その洗浄液を反応管２０１１ａ等のうち、何も収容していない空の反応管に吐出する。反応管に吐出された洗浄液は、吐出された反応管の内部を洗浄する。また、洗浄液が吐出された反応管内には、第１Ａ試薬分注プローブ２１０、第１撹拌ユニット２１７の撹拌子等が出し入れされる。これにより、第１Ａ試薬分注プローブ２１０、第１撹拌ユニット２１７の撹拌子等が洗浄される。
【００４６】
第２Ａ試薬分注アーム２１１は、一端に上下動可能に第２Ａ試薬分注プローブ２１２を支持する。第２Ａ試薬分注アーム２１１は、駆動機構４によって回動される。第２Ａ試薬分注アーム２１１が回動されることにより、第２Ａ試薬分注プローブ２１２は、円弧状の回動軌道に沿って回動される。この回動軌道上には、第２試薬庫２０３の内円２０３２上に配置される試薬容器１０１からＡライン系統に区分される各測定項目に対応する第２試薬を吸引する試薬吸引位置と、Ａラインの測定項目を測定するために設定される、吸引した第２試薬を反応管２０１１ａへ吐出する第２試薬吐出位置２０１４ａとが設定されている。
【００４７】
第２Ａ試薬分注プローブ２１２は、駆動機構４によって駆動され、回動軌道上の試薬吸引位置、及び第２試薬吐出位置２０１４ａにおいて上下方向に移動する。また、第２Ａ試薬分注プローブ２１２は、システム制御回路９の制御に従い、回動軌道上の試薬吸引位置に位置する試薬容器１０１から第２試薬を吸引する。また、第２Ａ試薬分注プローブ２１２は、システム制御回路９の制御に従い、吸引した第２試薬を、第２試薬吐出位置２０１４ａに位置する反応管２０１１ａへ所定量吐出する。
【００４８】
また、第２Ａ試薬分注プローブ２１２は、必要に応じて第２試薬庫２０３の内円２０３２における洗浄液容器に格納されている洗浄液を吸引する。第２Ａ試薬分注プローブ２１２は、洗浄液を吸引後、その洗浄液を反応管２０１１ａ等のうち、何も収容していない空の反応管に吐出する。反応管に吐出された洗浄液は、吐出された反応管の内部を洗浄する。また、洗浄液が吐出された反応管内には、第２Ａ試薬分注プローブ２１２、第２撹拌ユニット２１８の撹拌子等が出し入れされる。これにより、第２Ａ試薬分注プローブ２１２、第２撹拌ユニット２１８の撹拌子等が洗浄される。
【００４９】
第１Ｂ試薬分注アーム２１３は、一端に上下動可能に第１Ｂ試薬分注プローブ２１４を支持する。第１Ｂ試薬分注アーム２１３は、駆動機構４によって回動される。第１Ｂ試薬分注アーム２１３が回動されることにより、第１Ｂ試薬分注プローブ２１４は、円弧状の回動軌道に沿って回動される。この回動軌道上には、第１試薬庫２０２の外円２０２１上に配置される試薬容器１０１からＢライン系統に区分される各測定項目に対応する第１試薬を吸引する試薬吸引位置と、吸引した第１試薬を反応管２０１１ｂへ吐出する第１試薬吐出位置２０１３ｂとが設定されている。
【００５０】
第１Ｂ試薬分注プローブ２１４は、駆動機構４によって駆動され、回動軌道上の試薬吸引位置、及び第１試薬吐出位置２０１３ｂにおいて上下方向に移動する。また、第１Ｂ試薬分注プローブ２１４は、システム制御回路９の制御に従い、回動軌道上の試薬吸引位置に位置する試薬容器１０１から第１試薬を吸引する。また、第１Ｂ試薬分注プローブ２１４は、システム制御回路９の制御に従い、吸引した第１試薬を、第１試薬吐出位置２０１３ｂに位置する反応管２０１１ｂへ所定量吐出する。
【００５１】
また、第１Ｂ試薬分注プローブ２１４は、必要に応じて第１試薬庫２０２の外円２０２１における洗浄液容器に格納されている洗浄液を吸引する。第１Ｂ試薬分注プローブ２１４は、洗浄液を吸引後、その洗浄液を反応管２０１１ｂ等のうち、何も収容していない空の反応管に吐出する。反応管に吐出された洗浄液は、吐出された反応管の内部を洗浄する。また、洗浄液が吐出された反応管内には、第１Ｂ試薬分注プローブ２１４、第１撹拌ユニット２１７の撹拌子等が出し入れされる。これにより、第１Ｂ試薬分注プローブ２１４、第１撹拌ユニット２１７の撹拌子等が洗浄される。
【００５２】
第２Ｂ試薬分注アーム２１５は、一端に上下動可能に第２Ｂ試薬分注プローブ２１６を支持する。第２Ｂ試薬分注アーム２１５は、駆動機構４によって回動される。第２Ｂ試薬分注アーム２１５が回動されることにより、第２Ｂ試薬分注プローブ２１６は、円弧状の回動軌道に沿って回動される。この回動軌道上には、第１試薬庫２０２の内円２０２２上に配置される試薬容器１０１からＢライン系統に区分される各測定項目に対応する第２試薬を吸引する試薬吸引位置と、吸引した第２試薬を反応管２０１１ｂへ吐出する第２試薬吐出位置２０１４ｂとが設定されている。
【００５３】
第２Ｂ試薬分注プローブ２１６は、駆動機構４によって駆動され、回動軌道上の試薬吸引位置、及び第２試薬吐出位置２０１４ｂにおいて上下方向に移動する。また、第２Ｂ試薬分注プローブ２１６は、システム制御回路９の制御に従い、回動軌道上の試薬吸引位置に位置する試薬容器１０１から第２試薬を吸引する。また、第２Ｂ試薬分注プローブ２１６は、システム制御回路９の制御に従い、吸引した第２試薬を、第２試薬吐出位置２０１４ｂに位置する反応管２０１１ｂへ所定量吐出する。
【００５４】
また、第２Ｂ試薬分注プローブ２１６は、必要に応じて第１試薬庫２０２の内円２０２２における洗浄液容器に格納されている洗浄液を吸引する。第２Ｂ試薬分注プローブ２１６は、洗浄液を吸引後、その洗浄液を反応管２０１１ｂ等のうち、何も収容していない空の反応管に吐出する。反応管に吐出された洗浄液は、吐出された反応管の内部を洗浄する。また、洗浄液が吐出された反応管内には、第２Ｂ試薬分注プローブ２１６、第２撹拌ユニット２１８の撹拌子等が出し入れされる。これにより、第２Ｂ試薬分注プローブ２１６、第２撹拌ユニット２１８の撹拌子等が洗浄される。
【００５５】
残量検知ユニット２０６は、例えば試薬容器１０１に収容された試薬等の残量を検知する。残量検知ユニット２０６は、液面検知センサ及び残量算出回路を有する。液面検知センサは、例えば第１Ａ試薬分注プローブ２１０、第１サンプル分注プローブ２０５、第２サンプル分注プローブ２０８、第２Ａ試薬分注プローブ２１２、第１Ｂ試薬分注プローブ２１４及び第２Ｂ試薬分注プローブ２１６の先端に設けられる。残量算出回路は、例えば第１Ａ試薬分注アーム２０９、第１サンプル分注アーム２０４、第２サンプル分注アーム２０７、第２Ａ試薬分注アーム２１１、第１Ｂ試薬分注アーム２１３及び第２Ｂ試薬分注アーム２１５内に設けられる。ここでは、液面検知センサが第１Ａ試薬分注プローブ２１０の先端に設けられ、残量算出回路が第１Ａ試薬分注アーム２０９内に設けられる場合を、代表して説明する。
【００５６】
液面検知センサは、例えば液面検知センサと第２試薬庫２０３の外円２０３１における試薬容器１０１内の第１試薬又は洗浄液容器内の洗浄液との間の静電容量の変化を検知する。液面検知センサは、検知した静電容量の変化を電気信号に変換し、残量算出回路に出力する。
【００５７】
残量算出回路は、液面検知センサから出力された電気信号に基づいて第１試薬又は洗浄液の残量を算出するプロセッサである。残量算出回路は、例えば第１Ａ試薬分注プローブ２１０の先端の初期位置（待機位置）から試薬容器１０１内の第１試薬又は洗浄液容器内の洗浄液の液面まで下降する際にシステム制御回路９から駆動機構４が有するステッピングモータに供給される駆動パルス数に基づいて、試薬容器１０１内の第１試薬又は洗浄液の残量を算出する。算出された第２試薬又は洗浄液の残量はシステム制御回路９に供給される。
【００５８】
第１撹拌ユニット２１７、及び第２撹拌ユニット２１８は、撹拌アーム、及び撹拌子をそれぞれ有する。撹拌アームは、先端近傍に、回動可能、かつ、上下動可能に撹拌子を支持する。第１撹拌ユニット２１７は、システム制御回路９の制御に従い、反応ディスク２０１における撹拌位置に位置する反応管２０１１ａ又は反応管２０１１ｂへ撹拌子を移動させ、撹拌子により反応管２０１１ａ又は反応管２０１１ｂ内で試料及び第１試薬を混合した混合液、すなわち第１薬分注後の反応管２０１１ａ又は反応管２０１１ｂ内の混合液を撹拌する。第２撹拌ユニット２１８は、システム制御回路９の制御に従い、反応ディスク２０１における撹拌位置に位置する反応管２０１１ａ又は反応管２０１１ｂへ撹拌子を移動させ、撹拌子により反応管２０１１ａ又は反応管２０１１ｂ内で試料、第１試薬、及び第２試薬を混合した混合液、すなわち第２試薬分注後の反応管２０１１ａ又は反応管２０１１ｂ内の混合液を撹拌する。
【００５９】
また、図２及び図３に示される分析機構２は、測光ユニット２１９、洗浄ユニット２２０、及び電解質測定ユニット２２１を備える。
【００６０】
測光ユニット２１９は、光源、及び光検出器を有する。測光ユニット２１９は、システム制御回路９の制御に従い、光源から反応管２０１１ａ、及び／又は、反応管２０１１ｂへ光を照射する。光検出器は、反応管２０１１ａ、及び／又は、反応管２０１１ｂ内の標準試料と第１試薬等との混合液、又は被検試料と第１試薬等との混合液を通過した光を検出する。光検出器は、検出した光の強度に基づいて標準データ又は被検データを生成する。測光ユニット２１９は、生成した標準データ及び被検データを、解析回路３へ出力する。
【００６１】
洗浄ユニット２２０は、廃液ノズル、洗浄ノズル、及び乾燥ノズルが取り付けられている。洗浄ユニット２２０は、廃液ノズルにより、反応管洗浄位置に位置する反応管２０１１ａ、及び／又は、反応管２０１１ｂ内の混合液を廃液として吸引する。また、洗浄ユニット２２０は、洗浄液タンク及び純水タンクを備える。洗浄液タンクは、自動分析装置１の内部に設けられ、複数種類の洗浄液（洗剤）を収容する。これらの洗浄液は、試薬庫に保持されている洗浄液同様に、本実施形態における消費材の他の一例であり、アルカリ性洗剤、酸性洗剤である。純水タンクは、自動分析装置１の内部に設けられ、純水を収容する。洗浄ユニット２２０は、洗浄ノズルにより、反応管洗浄位置に位置する反応管２０１１ａ、及び／又は、反応管２０１１ｂへ当該反応管に収容されていた試料及び試薬に応じた洗浄液又は純水を吐出し、反応管２０１１ａ、及び／又は、反応管２０１１ｂを洗浄する。洗浄ユニット２２０は、乾燥ノズルにより、反応管２０１１ａ、及び／又は、反応管２０１１ｂへ乾燥空気を供給することで、純水により洗浄された反応管２０１１ａ、及び／又は、反応管２０１１ｂを乾燥させる。また、洗浄液又は純水の残量は、システム制御回路９により洗浄液又は純水毎に管理されている。
【００６２】
電解質測定ユニット２２１は、反応管２０１１ａ、及び／又は、反応管２０１１ｂ内の混合液中に存在する特定電解質の測定を行う。電解質測定ユニット２２１は、例えば特定電解質から発生するイオン濃度を測定する。
【００６３】
本実施形態に係るシステム制御回路９は、記憶回路８から読み出した動作プログラムを実行することで、図１に示される各種機能を実現する。すなわち、システム制御回路９は、依頼管理機能９１、項目状態管理機能９２、除外項目管理機能９３、試料ＩＤ読取機能９４、判定機能９５、分析制御機能９６、及び出力制御機能９７を備える。なお、本実施形態では、単一のプロセッサによって依頼管理機能９１、項目状態管理機能９２、除外項目管理機能９３、試料ＩＤ読取機能９４、判定機能９５、分析制御機能９６、及び出力制御機能９７が実現される場合を説明するが、これに限定されない。例えば、複数の独立したプロセッサを組み合わせて制御回路を構成し、各プロセッサが動作プログラムを実行することにより依頼管理機能９１、項目状態管理機能９２、除外項目管理機能９３、試料ＩＤ読取機能９４、判定機能９５、分析制御機能９６、及び出力制御機能９７を実現しても構わない。
【００６４】
依頼管理機能９１は、記憶回路８に記憶される依頼管理テーブルを管理する機能である。依頼管理機能９１では、システム制御回路９は、依頼管理テーブルに対して、レコードの登録、更新及び削除を実行する。以下、依頼管理テーブルについて具体的に説明する。
【００６５】
記憶回路８に記憶される依頼管理テーブルは、測定が依頼された試料と、当該試料に係る依頼内容と、当該試料の処理状態との関係を表すテーブルであって、試料ＩＤをキーとした複数のデータ項目を記した一覧表である。図４は、本実施形態に係る依頼管理テーブルの一例を示す図である。依頼管理テーブルにおける列（フィールド）のデータ項目は、図４に示されるように、例えば試料ＩＤ、ＴＰ（トータルプロテイン：血清総蛋白）、ＡＬＢ（アルブミン）、ＡＳＴ（アスパラギン酸アミノトランスフェラーゼ）、ＡＬＴ（アラニンアミノトランスフェラーゼ）及びＨＤＬ（高比重リボタンパク）等の少なくとも１つの測定項目が含まれる測定依頼項目、並びに試料状態等である。試料状態とは、測定が依頼された試料の測定状況を示す数値である。試料状態は、例えば「０」である場合は、当該試料の測定が行われていない、すなわち１度も分注されていない状態を表す。試料状態は、例えば「１」である場合には、当該試料の測定がすべて終了したことを表す。試料状態は、例えば「２」である場合は、当該試料の測定が保留されたことを示す。「試料の測定を保留する」とは、所定の条件に該当する当該試料の測定を行う代わりに、所定の条件に該当しない別の試料の測定を行うことを示す。依頼管理テーブルにおける行（レコード）には、測定が依頼される試料毎にフィールドの情報が記憶される。
【００６６】
依頼管理機能９１では、システム制御回路９は、例えば操作者から入力インタフェース回路７を介して入力された試料ＩＤ及び当該試料ＩＤに対応する測定依頼項目を、依頼管理テーブルの試料ＩＤ及び測定依頼項目としてそれぞれ登録する。システム制御回路９は、上記試料ＩＤ及び当該試料ＩＤに対応する測定依頼項目を登録すると、試料状態フィールドに所定の初期値、例えば「０」を登録する。
【００６７】
また、システム制御回路９は、測定対象となる試料の測定項目の測定がすべて終了した場合、当該試料に係る試料ＩＤに対応する試料状態フィールドの値を「０」から当該試料の測定がすべて終了したことを意味する「１」に更新する。
【００６８】
また、システム制御回路９は、判定機能９５の判定の結果、測定が依頼された試料の測定を保留する場合、当該試料ＩＤに対応する試料状態フィールドの値を「０」から当該試料の測定が保留されたことを意味する「２」に更新する。
【００６９】
項目状態管理機能９２は、記憶回路８に記憶される項目状態管理テーブルを管理する機能である。項目状態管理機能９２では、システム制御回路９は、項目状態管理テーブルに対して、レコードの登録、更新及び削除を実行する。以下、項目状態管理テーブルについて具体的に説明する。
【００７０】
記憶回路８に記憶される項目状態管理テーブルは、自動分析装置１が測定対象とする測定項目と、当該測定項目に係る測定状態との関係を表すテーブルであって、測定項目をキーとした複数のデータ項目を記した一覧表である。図５は、本実施形態に係る項目状態管理テーブルの一例を示す図である。項目状態管理テーブルにおける列（フィールド）のデータ項目は、図５に示されるように、測定項目、当該測定項目が測定可能か否かを示す測定状態及び当該測定状態が測定不可である場合の不足試薬・不足洗浄液等である。項目状態管理テーブルにおける行（レコード）には、測定項目毎にフィールドの情報が記憶される。
【００７１】
項目状態管理機能９２では、システム制御回路９は、例えば操作者から入力インタフェース回路７を介して入力された測定項目を、項目状態管理テーブルの測定項目として登録する。システム制御回路９は、上記測定項目を登録すると、測定状態フィールドに所定の初期値、例えば「測定可」を登録する。また、システム制御回路９は、上記測定項目を登録すると、不足試薬・不足洗浄液フィールドに所定の初期値、例えば空値を登録する。
【００７２】
システム制御回路９は、判定機能９５により所定の測定項目の測定を保留すると判定された場合、当該試薬又は洗浄液、すなわち測定項目に対応するレコードの測定状態フィールドの値を「測定可」から「測定不可」に更新する。なお、「測定不可」という値は、「測定保留」等の値で代用してもよい。
【００７３】
除外項目管理機能９３は、記憶回路８に記憶される除外項目管理テーブルを管理する機能である。除外項目管理機能９３では、システム制御回路９は、本実施形態に除外項目管理テーブルに対して、レコードの登録、更新及び削除を実行する。以下、除外項目管理テーブルについて具体的に説明する。
【００７４】
除外項目管理テーブルとは、自動分析装置１が測定対象とする測定項目と、当該測定項目の測定が必須であるか否かを示す除外フラグとの関係を表すテーブルであって、測定項目をキーとした複数のデータ項目を記した一覧表である。図６は、本実施形態に係る除外項目管理テーブルの一例を示す図である。除外項目管理テーブルにおける列（フィールド）のデータ項目は、図６に示されるように、測定項目及び除外フラグ等である。除外フラグとは、試薬又は洗浄液不足により当該測定項目が測定保留対象であると判定された場合でも測定が必須である除外項目であるか否かを示すフラグである。除外項目とは、例えば電解質測定で測定されるような緊急を要する測定項目である。除外フラグは、例えば「０」である場合は、当該測定項目が除外項目ではないことを表し、「１」である場合には、当該測定項目が除外項目であることを表す。除外項目管理テーブルにおける行（レコード）には、測定項目毎にフィールドの情報が記憶される。
【００７５】
除外項目管理機能９３では、システム制御回路９は、例えば操作者から入力インタフェース回路７を介して入力された測定項目及び除外フラグ等を除外項目管理テーブルに登録する。このとき、除外フラグの初期値として例えば「０」を登録する。また、システム制御回路９は、入力インタフェース回路７を介して、操作者から所定の測定項目に対する除外フラグの更新を受け付ける。システム制御回路９は、所定の測定項目について測定が必須である旨を受け付けた場合、例えば所定の測定項目に対応するレコードの除外フラグフィールドを「０」から測定が必須であることを意味する「１」に更新する。
【００７６】
試料ＩＤ読取機能９４は、リーダ２４６及びリーダ２４７に対し、ＩＤ読取開始を指示する機能である。なお、試料ＩＤ読取機能９４では、システム制御回路９は、リーダ２４６及びリーダ２４７に対し、ＩＤ読取終了を指示してもよい。
【００７７】
判定機能９５は、残量検知ユニット２０６から供給される試薬又は洗浄液の残量に基づいて、当該試薬又は洗浄液に対応する測定項目の測定を保留するか否かを判定する機能である。
【００７８】
具体的には、記憶回路８には、例えば試薬容器１０１に格納される試薬又は洗浄液の残量に関する複数の閾値Ｔｒが記憶されている。閾値Ｔｒは、試薬又は洗浄液毎に予め設定される。なお、閾値Ｔｒは、所定の試料に係るすべての測定項目が測定可能になるように所定の余裕値を含めて設定されることが望ましい。判定機能９５では、システム制御回路９は、残量検知ユニット２０６から供給される試薬又は洗浄液の残量を取得する。システム制御回路９は、残量検知ユニット２０６から供給された試薬又は洗浄液の残量と、当該試薬又は洗浄液に対応する記憶回路８に記憶された閾値Ｔｒを比較する。システム制御回路９は、比較の結果、試薬又は洗浄液の残量が閾値Ｔｒ以下である場合、当該試薬又は洗浄液に対応する測定項目の測定を保留すると判定する。この結果、測定を保留する測定項目が特定される。
【００７９】
また、判定機能９５は、測定が依頼されている試料に係る測定項目の測定状態を確認し、所定の条件を満たす場合、当該試料の測定を保留する機能である。
【００８０】
具体的には、判定機能９５では、システム制御回路９は、リーダ２４６又はリーダ２４７から供給される試料の識別情報に含まれる試料ＩＤを取得する。システム制御回路９は、取得された試料ＩＤに対応する測定項目を依頼管理テーブルから取得する。システム制御回路９は、取得した測定項目対応する測定状態を項目状態管理テーブルから取得する。システム制御回路９は、この測定状態を、試料ＩＤに対応する測定項目の数分取得する。システム制御回路９は、取得された試料ＩＤに対応する測定項目の中に測定状態が測定不可であるレコードが含まれているか否かを確認し、該当レコードが含まれ、かつ、取得された試料ＩＤに対応する測定項目の中に除外項目に指定されているものがない場合、取得された試料ＩＤに対応する試料の測定を保留する。
【００８１】
分析制御機能９６は、入力インタフェース回路７から入力される入力情報に基づき、駆動機構４を制御する機能である。例えば、分析制御機能９６において、システム制御回路９は、入力インタフェース回路７から入力される入力情報に基づき、駆動機構４に設けたステッピングモータ等へ駆動パルスを供給することで、分析機構２に設けられる各部の動作を制御する。
【００８２】
また、分析制御機能９６は、サンプルラック１０２の搬送を制御する。具体的には、分析制御機能９６では、システム制御回路９は、駆動機構４を制御し、第１投入レーン２３１上のサンプルラック１０２を、ラック移動ユニット２４０の搬送アーム２４１によりピックアップ可能な投入位置に移動する。
【００８３】
また、システム制御回路９は、搬送アーム２４１を制御し、サンプルラック１０２を、第１投入レーン２３１における投入位置からサンプリングレーン２４４におけるラック搬入位置２４４１へ搬送する。
【００８４】
システム制御回路９は、ベルトコンベアを制御し、サンプリングレーン２４４上のラック搬入位置２４４１に配置されたサンプルラック１０２が保持する複数の試料容器１００の各々をサンプル吸引位置２４４２に搬送する。
【００８５】
システム制御回路９は、例えばリーダ２４７により読取られた試料ＩＤに紐づく試料に係る判定機能９５による判定結果に基づいて、ベルトコンベア又は搬送アーム２４１を制御し、当該試料を格納する試料容器１００をサンプル吸引位置２４４２から所定の位置へ移動させる。
【００８６】
出力制御機能９７は、自動分析装置１において測定結果等の出力を制御する機能である。例えば、出力制御機能９７では、システム制御回路９は、出力インタフェース回路６を制御し、測定を保留する測定項目を含む試料の識別情報、当該測定を保留する測定項目に対応する不足試薬又は不足洗浄液、及び、解析回路３が算出した測定項目値等を表示する。
【００８７】
システム制御回路９は、出力インタフェース回路６を制御し、除外項目を操作者に選択させるための除外項目選択画面を表示する。図７は、自動分析装置１に係る除外項目選択画面の一例を示す図である。
【００８８】
次に、第１の実施形態の動作について説明する。図８は、自動分析装置１が備えるシステム制御回路９が測定依頼された試料の分注を制御する場合のフローチャートの一例を示す図である。
【００８９】
図８に示されるように、システム制御回路９は、例えば分注対象となる試料を格納した試料容器１００をサンプル吸引位置２４４２へ移動させる（ステップＳＡ１）。
【００９０】
システム制御回路９は、サンプル吸引位置２４４２でリーダ２３７により試料容器１００に付されたバーコードから読み取られた識別情報に含まれる試料ＩＤを取得する（ステップＳＡ２）。具体的には、システム制御回路９は、例えば図４に示されるように、試料ＩＤ「１０００３」を取得する。
【００９１】
システム制御回路９は、記憶回路８から依頼管理テーブル及び測定状態管理テーブルを読み出した後、依頼管理テーブル及び測定状態管理テーブルを参照し、取得された試料ＩＤに紐付く測定項目の中に測定を保留する測定項目が含まれているか否か判定する（ステップＳＡ３）。具体的には、システム制御回路９は、図４に示されるように、依頼管理テーブルの試料ＩＤ「１０００３」の試料状態が当該試料の測定が行われていないことを示す「０」である場合、試料ＩＤ「１０００３」に紐付く測定項目「ＴＰ」、「ＡＬＢ」、「ＡＳＴ」、「Ｎａ」、「Ｋ」及び「Ｃｌ」それぞれについて、図５に示される測定状態管理テーブルを参照し、測定状態が「測定不可」であるレコードが含まれているか否かを判定する。
【００９２】
システム制御回路９は、取得された試料ＩＤに紐付く測定項目の中に測定を保留する測定項目が含まれている場合（ステップＳＡ３のＹｅｓ）、依頼管理テーブル、測定状態管理テーブル及び除外項目管理テーブルを参照し、取得された試料ＩＤに紐付く測定項目の中に除外項目に指定されているものがあるか否か判定する（ステップＳＡ４）。具体的には、システム制御回路９は、測定状態管理テーブルにおいて、例えば試料ＩＤ「１０００３」に紐付く測定項目「ＡＳＴ」の測定状態が「測定不可」である場合、除外項目管理テーブルを参照し、測定項目「ＡＳＴ」以外の測定項目であって、試料ＩＤ「１０００３」に紐付く測定項目の中に除外フラグが「１」である除外項目に指定されている測定項目があるか否か判定する。
【００９３】
システム制御回路９は、取得された試料ＩＤに紐付く測定項目の中に除外項目に指定されている測定項目がある場合（ステップＳＡ４のＹｅｓ）、除外項目に指定されている測定項目以外の測定項目を測定対象から外す（ステップＳＡ５）。具体的には、システム制御回路９は、図６に示されるように、試料ＩＤ「１０００３」に紐付く測定項目のうち、「Ｎａ」、「Ｋ」及び「Ｃｌ」が除外項目に指定されている場合、除外項目以外の測定項目である「ＴＰ」及び「ＡＬＢ」を測定対象から外す。測定対象から測定項目を外す方法としては、例えば分注対象となる試料の試料ＩＤを取得した際、所定のバッファ上に取得された試料ＩＤに紐付く測定項目を格納しておき、その後測定対象で外す対象となる測定項目を所定のバッファ上から削除する方法が挙げられる。
【００９４】
システム制御回路９は、ステップＳＡ５の後、当該試料ＩＤに対応する１つの測定項目分の試料の分注を行う（ステップＳＡ６）。具体的には、例えばシステム制御回路９は、試料ＩＤ「１０００３」に紐付く測定項目「Ｎａ」を測定するために試料の分注を行う。
【００９５】
システム制御回路９は、取得された試料ＩＤに紐付く測定項目の中に除外項目に指定されているものがない場合（ステップＳＡ４のＮｏ）、取得された試料ＩＤに対応する試料の測定を保留するため、当該試料ＩＤに対応する依頼管理テーブルの試料状態フィールドの値を「０」から「２」に更新する（ステップＳＡ７）。具体的には、システム制御回路９は、例えば試料ＩＤ「１０００１」に紐付く測定項目「ＴＰ」、「ＡＬＢ」、「ＡＳＴ」及び「ＡＬＴ」のうち、「ＡＳＴ」は測定を保留する測定項目であり、「ＡＳＴ」以外の測定項目「ＴＰ」、「ＡＬＢ」及び「ＡＬＴ」は除外項目に指定されていないため、図４に示される依頼管理テーブルの試料ＩＤ「１０００１」に紐付く試料状態フィールドの値を「０」から「２」に更新する。システム制御回路９は、試料状態フィールドの更新後、出力インタフェース回路６を制御し、測定を保留する測定項目を含む試料、例えば試料ＩＤ「１０００１」を操作者へ報知するようにしてもよい。このとき、システム制御回路９は、出力インタフェース回路６を制御し、当該試料の識別情報及び不足している試薬又は洗浄液、例えば図５に示される測定項目「ＡＳＴ」に対応する不足試薬「試薬Ａ」を示す情報を表示する。
【００９６】
システム制御回路９は、ステップＳＡ７の後、取得された試料ＩＤに対応する試料容器１００が載置されたサンプルラック１０２を搬送することにより、当該試料容器１００をサンプル吸引位置２４４２から所定の位置へ移動させる（ステップＳＡ１３）。具体的には、システム制御回路９は、サンプルラック１０２に載置された複数の試料容器１００のうち、他に分注対象となる試料容器１００がある場合、サンプルラック１０２をＸ軸方向へ試料容器１００の大きさ一つ分移動させる。また、システム制御回路９は、サンプルラック１０２に載置された複数の試料容器１００のうち他に分注対象となる試料容器１００がない場合、当該試料容器１００が載置されたサンプルラック１０２を再検査バッファレーン２４５の所定の位置へ移動させる。
【００９７】
システム制御回路９は、取得された試料ＩＤに紐付く測定項目の中に測定を保留する測定項目が含まれていない場合（ステップＳＡ３のＮｏ）、当該試料ＩＤに対応する１つの測定項目分の試料の分注を行う（ステップＳＡ６）。具体的には、システム制御回路９は、例えば図４に示される依頼管理テーブルの試料ＩＤ「１０００５」に紐付く測定項目「ＴＰ」、「ＡＬＢ」及び「ＡＬＴ」の中には、測定を保留する測定項目がないため、試料ＩＤ「１０００５」に紐付く測定項目「ＴＰ」を測定するために試料の分注を行う。
【００９８】
システム制御回路９は、ステップＳＡ６の後、ステップＳＡ６の分注の際に残量検知ユニット２０６により算出された試薬又は洗浄液の残量を取得する（ステップＳＡ８）。
【００９９】
システム制御回路９は、取得した試薬又は洗浄液の残量と、当該試薬又は洗浄液に対応する記憶回路８に記憶された閾値Ｔｒを比較する（ステップＳＡ９）。
【０１００】
システム制御回路９は、比較の結果、試薬又は洗浄液の残量が閾値Ｔｒ以下である場合（ステップＳＡ９のＹｅｓ）、当該試薬又は洗浄液に紐づく測定状態管理テーブルの測定項目に対応する測定状態フィールドの値を「測定可」から「測定不可」に更新する（ステップＳＡ１０）。具体的には、システム制御回路９は、図５に示される測定項目「ＨＤＬ」について、所定の試薬又は洗浄液、例えば試薬Ｂの残量が閾値Ｔｒ以下である場合、測定状態管理テーブルの測定項目「ＨＤＬ」に紐付く不足試薬・不足洗浄液フィールドの値を空値から「試薬Ｂ」に更新する。
【０１０１】
システム制御回路９は、依頼管理テーブルを参照し、取得された試料ＩＤに紐付く測定項目のうち、未だ測定されていない測定項目があるか否か判定する（ステップＳＡ１１）。具体的には、システム制御回路９は、依頼管理テーブルの試料ＩＤ「１０００３」に紐付く測定項目のうち、測定を保留する測定項目「ＡＳＴ」、ステップＳＡ５で測定対象から外した「ＴＰ」及び「ＡＬＢ」、並びにステップＳＡ６で分注した「Ｎａ」以外の測定項目のうち、未だ測定されていない測定項目があるか否か判定する。
【０１０２】
システム制御回路９は、取得された試料ＩＤに紐付く測定項目のうち、未だ測定されていない測定項目がある場合（ステップＳＡ１１のＹｅｓ）、取得された試料ＩＤに係る該当項目の１つについて再びステップＳＡ３以降の処理を実施する。具体的には、システム制御回路９は、依頼管理テーブルの試料ＩＤ「１０００３」に紐付く測定項目のうち、未だ測定されてない測定項目「Ｋ」及び「Ｃｌ」のいずれか１つについてステップＳＡ３以降の処理を実施する。
【０１０３】
システム制御回路９は、取得された試料ＩＤに紐付く測定項目のうち、未だ測定されていない測定項目がない場合（ステップＳＡ１１のＮｏ）、当該試料ＩＤに対応する依頼管理テーブルの試料状態フィールドの値を更新する（ステップＳＡ１２）。具体的には、システム制御回路９は、取得された試料ＩＤに紐付く測定項目のうち、ステップＳＡ５で測定対象から外された測定項目がない場合であって、当該試料ＩＤに紐付くすべての測定項目の測定が終了すると、当該試料ＩＤに対応する依頼管理テーブルの試料状態フィールドの値を「０」から「１」に更新する。また、システム制御回路９は、測定対象から外された測定項目がある場合であって、当該試料ＩＤに紐付く他のすべての測定項目の測定が終了すると、当該試料ＩＤに対応する依頼管理テーブルの試料状態フィールドの値を「０」から「２」に更新する。
【０１０４】
システム制御回路９は、ステップＳＡ１２の後、取得された試料ＩＤに対応する試料容器１００が載置されたサンプルラック１０２を搬送することにより、当該試料ＩＤに対応する試料容器１００をサンプル吸引位置２４４２から所定の位置へ移動させる（ステップＳＡ１３）。以下、上記サンプルラック１０２に載置された複数の試料容器１００のうち他に分注対象となる試料容器１００がない場合の搬送方法の例について具体的に説明する。システム制御回路９は、ステップＳＡ５で測定対象から外された測定項目がない場合は、当該試料ＩＤに対応する試料容器１００が載置されたサンプルラック１０２を回収位置Ｔｅに搬送する。システム制御回路９は、ステップＳＡ５で測定対象から外された測定項目がある場合は、当該試料ＩＤに対応する試料容器１００が載置されたサンプルラック１０２を再検査バッファレーン２４５の所定の位置に搬送する。
【０１０５】
システム制御回路９は、依頼管理テーブルを参照し、測定対象となる試料が他にあるか否かを判定する（ステップＳＡ１４）。
【０１０６】
システム制御回路９は、測定対象となる試料が他にない場合（ステップＳＡ１４のＹｅｓ）、測定を終了する。
【０１０７】
システム制御回路９は、測定対象となる試料が他にある場合（ステップＳＡ１４のＮｏ）、後続で測定される予定の試料について再びステップＳＡ１以降の処理を実施する。
【０１０８】
第１の実施形態によれば、システム制御回路９は、試料容器１００に付されたバーコードから読み取られた識別情報に含まれる試料ＩＤを取得する。システム制御回路９は、取得された試料ＩＤに紐付く測定項目の中に測定を保留する測定項目が含まれているか否か判定する。システム制御回路９は、取得された試料ＩＤに紐付く測定項目の中に測定を保留する測定項目が含まれている場合、当該試料ＩＤに対応する試料の分注を行う代わりに、他の測定を保留する測定項目が含まれていない試料の分注を行う。これにより、測定項目の中に測定を保留する測定項目が含まれている試料の測定について、測定を保留する測定項目以外の測定項目を測定せずに当該試料の測定を保留することで、後続で測定される試料の測定開始時間を早めることができる。
【０１０９】
したがって、本実施形態に係る自動分析装置によれば、測定が保留される測定項目が依頼されている試料に後続して測定される試料のうち、測定が保留される測定項目が依頼されていない試料の測定効率を上げることが可能となる。
【０１１０】
また、第１の実施形態によれば、システム制御回路９は、測定項目の中に測定を保留する測定項目が含まれている試料の測定項目の中に除外項目に指定されているものがある場合、当該除外項目に指定されている測定項目について試料の分注を行う。これにより、測定項目の中に測定を保留する測定項目が含まれている試料であっても、例えば電解質測定で測定されるような緊急を要する測定項目を保留せずに測定することができ、操作者のニーズに合わせた柔軟な測定を行うことが可能となる。
【０１１１】
また、第１の実施形態によれば、システム制御回路９は、測定が依頼されている試料の分注の際に残量検知ユニット２０６により算出された試薬又は洗浄液の残量を取得する。システム制御回路９は、取得した試薬又は洗浄液の残量に基づいて、当該試薬又は洗浄液、すなわち測定項目に対応するレコードの測定状態フィールドの値を更新する。これにより、各測定項目の測定状態をリアルタイムに把握することが可能となる。
【０１１２】
また、第１の実施形態によれば、システム制御回路９は、測定を保留する測定項目を含む試料がある場合、当該試料の識別情報に対応する不足試薬又は不足洗浄液を記憶回路８に記憶する。システム制御回路９は、出力インタフェース回路６を制御し、測定を保留する測定項目を含む試料の識別情報を操作者へ報知する。システム制御回路９は、当該識別情報とともに、当該識別情報に対応する不足試薬又は不足洗浄液を示す情報を表示する。これにより、測定項目の緊急度に合わせた試薬又は洗浄液の交換又は補充が可能となる。
【０１１３】
［他の実施形態］
なお、この発明は上記実施形態に限定されるものではない。例えば、第１の実施形態では、システム制御回路９は、取得された試料ＩＤに紐付く測定項目の中に測定を保留する測定項目が含まれている場合に、当該試料ＩＤに対応する試料の測定を保留していたが、これに限定されない。システム制御回路９は、例えば取得された試料ＩＤに紐づく試料において測定を保留する測定項目の数を、所定の、例えば予め設定された閾値とを比較し、測定を保留する測定項目の数が閾値以上である場合に、当該試料ＩＤに対応する試料の測定を保留するようにしてもよい。このとき、記憶回路８は、予め設定された閾値Ｎを記憶する。システム制御回路９は、依頼管理テーブル及び測定状態管理テーブルを参照し、取得された試料ＩＤに紐づく試料において測定を保留する測定項目の数と、閾値Ｎとを比較する。システム制御回路９は、比較の結果、測定を保留する測定項目の数が閾値Ｎ以上である場合、取得された試料ＩＤに対応する試料の測定を保留する。なお、閾値Ｎは、試料毎に設定されてもよい。これにより、測定を保留する試料の数を増減させて、キャリーオーバをある程度抑制しつつ、全体の測定スループットを制御することが可能となる。
【０１１４】
また、第１の実施形態では、システム制御回路９は、出力インタフェース回路６を制御し、測定を保留する測定項目を含む試料が存在する旨を操作者へ報知するとともに、当該試料の識別情報及び不足している試薬又は洗浄液を示す情報を表示するようにしたが、これに限定されない。すなわち、システム制御回路９は、出力インタフェース回路６を制御し、不足した試薬又は洗浄液の容器交換又は補充を促す旨を操作者へ報知するとともに、当該試料の識別情報及び不足している試薬又は洗浄液を示す情報を表示するようにしてもよい。
【０１１５】
また、第１の実施形態では、残量検知ユニット２０６は、試薬容器１０１内の洗浄液を検知するようにしたが、これに限定されない。例えば、洗浄液は、第１サンプル分注プローブ２０５、第２サンプル分注プローブ２０８、第１Ａ試薬分注プローブ２１０、第２Ａ試薬分注プローブ２１２、第１Ｂ試薬分注プローブ２１４及び第２Ｂ試薬分注プローブ２１６の軌道上で吸引可能な位置に設置された専用の洗浄液タンクに格納されていてもよい。
【０１１６】
上記説明において用いた「プロセッサ」という文言は、例えば、ＣＰＵ（Central Processing Unit）、ＧＰＵ(Graphics Processing Unit)、或いは、特定用途向け集積回路（Application Specific Integrated Circuit：ＡＳＩＣ）、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１における複数の構成要素を１つのプロセッサへ統合してその機能を実現するようにしてもよい。
【０１１７】
本発明のいくつかの実施形態を説明したが、これらの実施形態は、例として表示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【０１１８】
１…自動分析装置、２…分析機構、３…解析回路、４…駆動機構、６…出力インタフェース回路、７…入力インタフェース回路、８…記憶回路、９…システム制御回路、９１…依頼管理機能、９２…項目状態管理機能、９３…除外項目管理機能、９４…読取機能、９５…判定機能、９６…分析制御機能、９７…出力制御機能、１００…試料容器、１０１…試薬容器、１０２…サンプルラック、２０１…反応ディスク、２０２…第１試薬庫、２０３…第２試薬庫、２０４…第１サンプル分注アーム、２０５…第１サンプル分注プローブ、２０６…残量検知ユニット、２０７…第２サンプル分注アーム、２０８…第２サンプル分注プローブ、２０９…第１Ａ試薬分注アーム、２１０…第１Ａ試薬分注プローブ、２１１…第２Ａ試薬分注アーム、２１２…第２Ａ試薬分注プローブ、２１３…第１Ｂ試薬分注アーム、２１４…第１Ｂ試薬分注プローブ、２１５…第２Ｂ試薬分注アーム、２１６…第２Ｂ試薬分注プローブ、２１７…第１撹拌ユニット、２１８…第２撹拌ユニット、２１９…測光ユニット、２２０…洗浄ユニット、２２１…電解質測定ユニット、２３０…ラック投入ユニット、２３１…第１投入レーン、２３２…第２投入レーン、２３７…リーダ、２４０…ラック移動ユニット、２４１…搬送アーム、２４２…搬送レール、２４３…レーン、２４４…サンプリングレーン、２４５…再検査バッファレーン、２４６…リーダ、２４７…リーダ、２５０…ラック回収ユニット、２５１…第１回収レーン、２５２…第２回収レーン、２０１１ａ…反応管、２０１１ｂ…反応管、２０１２ａ…第１サンプル吐出位置、２０１２ｂ…第２サンプル吐出位置、２０１３ａ…第１試薬吐出位置、２０１３ｂ…第１試薬吐出位置、２０１４ａ…第２試薬吐出位置、２０１４ｂ…第２試薬吐出位置、２０２１…外円、２０２２…内円、２０３１…外円、２０３２…内円、２４４１…ラック搬入位置、２４４２…サンプル吸引位置。
【図１】
2017207301.tif 000003
【図２】
2017207301.tif 000004
【図３】
2017207301.tif 000005
【図４】
2017207301.tif 000006
【図５】
2017207301.tif 000007
【図６】
2017207301.tif 000008
【図７】
2017207301.tif 000009
【図８】
2017207301.tif 000010